(57)【特許請求の範囲】
【請求項１】
カメラ本体と、前記カメラ本体に設けられる撮像光学系および前記撮像光学系の駆動機構と、前記カメラ本体の前部に取り付けられる前部カバーとを備えるカメラにおいて、
略円柱形状の一端に集音面が設けられたマイクと、
前記マイクを保持する部材であって略軸対称である略有底円筒形状の弾性素材から成り、有底円筒の開口面側の内周部分である開口部、および、前記開口部よりも有底円筒の底部側で前記集音面を前記開口面に向けて配設された前記マイクを前記開口面と前記集音面とが略平行となる状態で前記マイクの外周面を保持するマイク保持部を有するマイク保持部材と、
前記マイク保持部材を取り付けるためにカメラ本体に設けられた部位であって、前記マイク保持部材で保持された前記マイクの前記集音面が前記カメラ本体の前方に面し、略円柱形状の前記マイクの軸線方向が前記カメラ本体の前後方向と一致するように前記マイク保持部材が取り付けられるマイク保持部材取付部と、
前記前部カバーの曲面部分に設けられて、後方に向かって突出する有底円筒状に成形され、底部に貫通穴が設けられた成形部とを備え、
前記成形部は、前記成形部の有底円筒の軸線と前記マイク保持部材の有底円筒の軸線方向とが一致し、前記マイク保持部材の前記開口部の内周面に全周にわたって当接することを特徴とするカメラ。
【請求項２】
請求項１に記載のカメラにおいて、
前記マイクを保持した前記マイク保持部材を前記成形部に向かって押圧する押圧手段をさらに備えることを特徴とするカメラ。
【請求項３】
請求項１に記載のカメラにおいて、
前記マイク保持部材は、前記開口面に向かうにつれて前記開口部の内径が大きくなるように形成された保持部材側当接部を有し、前記保持部材側当接部で前記成形部と当接することを特徴とするカメラ。
【請求項４】
請求項１に記載のカメラにおいて、
前記成形部は、前記マイク保持部材側に向かって外径が小さくなるように形成された成形部側当接部を有し、前記成形部側当接部で前記マイク保持部材の前記開口部の内周面に全周にわたって当接することを特徴とするカメラ。
【請求項５】
請求項１に記載のカメラにおいて、
前記マイク保持部材は、前記成形部と当接した際に前記開口部近傍の変形が促進されるように形成された変形促進部を有することを特徴とするカメラ。
【請求項６】
電子機器本体と、前記電子機器本体の前部に取り付けられる前部カバーとを備える電子機器において、
略円柱形状の一端に集音面が設けられたマイクと、
前記マイクを保持する部材であって略軸対称である略有底円筒形状の弾性素材から成り、有底円筒の開口面側の内周部分である開口部、および、前記開口部よりも有底円筒の底部側で前記集音面を前記開口面に向けて配設された前記マイクを前記開口面と前記集音面とが略平行となる状態で前記マイクの外周面を保持するマイク保持部を有するマイク保持部材と、
前記マイク保持部材を取り付けるために電子機器本体に設けられた部位であって、前記マイク保持部材で保持された前記マイクの前記集音面が前記電子機器本体の前方に面し、略円柱形状の前記マイクの軸線方向が前記電子機器本体の前後方向と一致するように前記マイク保持部材が取り付けられるマイク保持部材取付部と、
前記前部カバーの曲面部分に設けられて、後方に向かって突出する有底円筒状に成形され、底部に貫通穴が設けられた成形部とを備え、
前記成形部は、前記成形部の有底円筒の軸線と前記マイク保持部材の有底円筒の軸線方向とが一致し、前記マイク保持部材の前記開口部の内周面に全周にわたって当接することを特徴とする電子機器。
【請求項７】
請求項６に記載の電子機器において、
前記マイクを保持した前記マイク保持部材を前記成形部に向かって押圧する押圧手段をさらに備えることを特徴とする電子機器。
【請求項８】
請求項６に記載の電子機器において、
前記マイク保持部材は、前記開口面に向かうにつれて前記開口部の内径が大きくなるように形成された保持部材側当接部を有し、前記保持部材側当接部で前記成形部と当接することを特徴とする電子機器。
【請求項９】
請求項６に記載の電子機器において、
前記成形部は、前記マイク保持部材側に向かって外径が小さくなるように形成された成形部側当接部を有し、前記成形部側当接部で前記マイク保持部材の前記開口部の内周面に全周にわたって当接することを特徴とする電子機器。
【請求項１０】
請求項６に記載の電子機器において、
前記マイク保持部材は、前記成形部と当接した際に前記開口部近傍の変形が促進されるように形成された変形促進部を有することを特徴とする電子機器。
【発明の詳細な説明】
【技術分野】
【０００１】
本発明は、マイクを備えたカメラおよび電子機器に関する。
【背景技術】
【０００２】
マイクを保持したマイクホルダを電子機器の筐体に当接させて取り付けている電子機器が知られている（特許文献１参照）。
【０００３】
【特許文献１】特開平１０−２８５２５９号公報
【発明の開示】
【発明が解決しようとする課題】
【０００４】
しかし、従来の電子機器では、筐体の曲面部分にマイクおよびマイクホルダが配設されると、マイクホルダと筐体との当接部分に隙間ができることがある。そのため、筐体の内部で発生した音がこの隙間からマイクに伝わって集音されてしまう。
【課題を解決するための手段】
【０００５】
（１）  請求項１の発明によるカメラは、カメラ本体と、カメラ本体に設けられる撮像光学系および前記撮像光学系の駆動機構と、カメラ本体の前部に取り付けられる前部カバーとを備えるカメラにおいて、略円柱形状の一端に集音面が設けられたマイクと、マイクを保持する部材であって略軸対称である略有底円筒形状の弾性素材から成り、有底円筒の開口面側の内周部分である開口部、および、開口部よりも有底円筒の底部側で集音面を開口面に向けて配設されたマイクを開口面と集音面とが略平行となる状態でマイクの外周面を保持するマイク保持部を有するマイク保持部材と、マイク保持部材を取り付けるためにカメラ本体に設けられた部位であって、マイク保持部材で保持されたマイクの集音面がカメラ本体の前方に面し、略円柱形状のマイクの軸線方向がカメラ本体の前後方向と一致するようにマイク保持部材が取り付けられるマイク保持部材取付部と、前部カバーの曲面部分に設けられて、後方に向かって突出する有底円筒状に成形され、底部に貫通穴が設けられた成形部とを備え、成形部は、成形部の有底円筒の軸線とマイク保持部材の有底円筒の軸線方向とが一致し、マイク保持部材の開口部の内周面に全周にわたって当接することを特徴とする。
（２）  請求項２の発明は、請求項１に記載のカメラにおいて、マイクを保持したマイク保持部材を成形部に向かって押圧する押圧手段をさらに備えることを特徴とする。
（３）  請求項３の発明は、請求項１に記載のカメラにおいて、マイク保持部材は、開口面に向かうにつれて開口部の内径が大きくなるように形成された保持部材側当接部を有し、保持部材側当接部で成形部と当接することを特徴とする。
（４）  請求項４の発明は、請求項１に記載のカメラにおいて、成形部は、マイク保持部材側に向かって外径が小さくなるように形成された成形部側当接部を有し、成形部側当接部でマイク保持部材の開口部の内周面に全周にわたって当接することを特徴とする。
（５）  請求項５の発明は、請求項１に記載のカメラにおいて、マイク保持部材は、成形部と当接した際に開口部近傍の変形が促進されるように形成された変形促進部を有することを特徴とする。
（６）  請求項６の発明による電子機器は、電子機器本体と、電子機器本体の前部に取り付けられる前部カバーとを備える電子機器において、略円柱形状の一端に集音面が設けられたマイクと、マイクを保持する部材であって略軸対称である略有底円筒形状の弾性素材から成り、有底円筒の開口面側の内周部分である開口部、および、開口部よりも有底円筒の底部側で集音面を開口面に向けて配設されたマイクを開口面と集音面とが略平行となる状態でマイクの外周面を保持するマイク保持部を有するマイク保持部材と、マイク保持部材を取り付けるために電子機器本体に設けられた部位であって、マイク保持部材で保持されたマイクの集音面が電子機器本体の前方に面し、略円柱形状のマイクの軸線方向が電子機器本体の前後方向と一致するようにマイク保持部材が取り付けられるマイク保持部材取付部と、前部カバーの曲面部分に設けられて、後方に向かって突出する有底円筒状に成形され、底部に貫通穴が設けられた成形部とを備え、成形部は、成形部の有底円筒の軸線とマイク保持部材の有底円筒の軸線方向とが一致し、マイク保持部材の開口部の内周面に全周にわたって当接することを特徴とする。
（７）  請求項７の発明は、請求項６に記載の電子機器において、マイクを保持したマイク保持部材を成形部に向かって押圧する押圧手段をさらに備えることを特徴とする。
（８）  請求項８の発明は、請求項６に記載の電子機器において、マイク保持部材は、開口面に向かうにつれて開口部の内径が大きくなるように形成された保持部材側当接部を有し、保持部材側当接部で成形部と当接することを特徴とする。
（９）  請求項９の発明は、請求項６に記載の電子機器において、成形部は、マイク保持部材側に向かって外径が小さくなるように形成された成形部側当接部を有し、成形部側当接部でマイク保持部材の開口部の内周面に全周にわたって当接することを特徴とする。
（１０）  請求項１０の発明は、請求項６に記載の電子機器において、マイク保持部材は、成形部と当接した際に開口部近傍の変形が促進されるように形成された変形促進部を有することを特徴とする。
【発明の効果】
【０００６】
請求項１に記載の発明によれば、カメラの内部で発生した音がマイクに伝わって集音されてしまうことを防止できる。
請求項６に記載の発明によれば、電子機器の内部で発生した音がマイクに伝わって集音されてしまうことを防止できる。
【発明を実施するための最良の形態】
【０００７】
図１〜４を参照して、本発明によるカメラおよび電子機器の一実施の形態を説明する。なお、本実施の形態では、前後左右および上下方向を各図に記載したように規定する。図１は、電子機器の一例としてのカメラの前部カバーおよび内部構造を示す図である。カメラ１は、本体部１００と、本体部１００に取り付けられる前部カバー２００とを備えている。なお、カメラ１は、本体部１００の後部に取り付けられる後部カバーも備えているが、図１ではその記載を省略している。
【０００８】
本体部１００には、被写体像を撮像するためのレンズを保持するレンズ鏡筒１０１と、合焦および焦点距離変更のためにレンズ鏡筒１０１で保持されたレンズを駆動するレンズ駆動機構１０２と、カメラ１の各部を制御するための制御基板１０３とが設けられている。また、本体部１００には、被写体像の撮像とともに音を録音するためのマイク１１０と、マイク１１０を保持するマイクゴム１２０とが設けられている。
【０００９】
図２は、マイク１１０およびマイクゴム１２０の断面図である。マイク１１０は、略円柱形状のコンデンサマイクである。マイク１１０は、一方の端面に集音面１１１が設けられ、他方の端面に音声信号を出力する端子１１２が設けられている。端子１１２にはコード１１３の一端が接続されている。コード１１３の他端は、制御基板１０３に接続される。
【００１０】
マイクゴム１２０は、一端が開口し、他端が閉じられた、略有底円筒形状の部材であり、軸ＡＸ１に関して略軸対称である。マイクゴム１２０はゴム製である。マイクゴム１２０は、マイク１１０を保持するマイク保持部１２１と、マイク保持部１２１の前方の開口部１２２と、他端側に設けられたコード引き出し部１２８とを有する。
【００１１】
マイク保持部１２１は、マイクゴム１２０の内周面に設けられた溝状の部位であり、略円柱形状のマイク１１０の外周を保持する。開口部１２２は、マイク保持部１２１の前方端面からマイクゴム１２０の開口端面までの空間である。開口部１２２は、前後方向に沿って一定の内径を有する円筒内面部１２３と、円筒内面部１２３の前方端から前方に向かって内径が増加して円錐形状を呈するテーパ面１２４とを有する。
【００１２】
マイク１１０は、マイクゴム１２０の開口部１２２の方へ集音面１１１を向けてマイク保持部１２１で保持される。コード１１３は、コード引き出し部１２８からマイクゴム１２０の外部に引き出されている。
【００１３】
マイクゴム１２０は、本体部１００のマイクゴム取り付け部１３０に取り付けられる。マイクゴム取り付け部１３０は、本体部１００の下部前面で、レンズ鏡筒１０１の右下近傍に設けられている。マイクゴム１２０がマイクゴム取り付け部１３０に取り付けられると、マイク１１０の集音面１１１は本体部１００の前方に向き、マイクゴム１２０の軸ＡＸ１は本体部１００の前後方向と平行となる。
【００１４】
前部カバー２００は、絞り加工などによって金属板を加工した部材であり、本体部１００の前部に取り付けられてカメラ１のボディ（外装）の一部を構成する。前部カバー２００には、レンズ鏡筒用開口２０１と、マイクゴム当接部２１０とが設けられている。前部カバー２００の外観は、前面下部２０２の近傍が下方に向かうにしたがって後方に向かって傾斜する曲線形状を呈する。前部カバー２００の内面は、外観形状にならい、前面下部２０２の近傍が下方に向かうにしたがって後方に向かって傾斜する曲線形状を呈する。
【００１５】
レンズ鏡筒用開口２０１は、レンズ鏡筒１０１がカメラ１の前方へ伸張可能とするための開口である。前部カバー２００が本体部１００に取り付けられると前部カバー２００の前後方向および上下左右方向は、本体部１００の前後方向および上下左右方向と一致する。
【００１６】
図３は、マイクゴム当接部２１０を含む前面下部２０２の近傍を左側から見たときの断面図である。マイクゴム当接部２１０は、後方に突出するように前面下部２０２の内側に設けられた成形部であり、軸ＡＸ２を中心軸とする略有底円筒形状を呈する。マイクゴム当接部２１０は、軸ＡＸ２を中心軸とする有底円筒の円筒部分に相当する円筒部２１１と、円筒部２１１の後方端に設けられて有底円筒の底部分に相当する底部２１２とを有する。底部２１２には底部２１２を前後方向に貫通する穴２１３が設けられている。
【００１７】
軸ＡＸ２は前部カバー２００の前後方向に平行である。したがって、円筒部２１１は前部カバー２００の前後方向に平行に延在する。底部２１２は、前部カバー２００の前後方向と垂直となる。また、前部カバー２００を本体部１００に取り付けると、軸ＡＸ２は軸ＡＸ１と一致する。
【００１８】
図４は、前部カバー２００を本体部１００に取り付けたときの、マイクゴム当接部２１０を含む前面下部２０２の近傍を左側から見たときの断面図である。前部カバー２００を本体部１００に取り付けると、マイクゴム当接部２１０の底部２１２がマイクゴム１２０の開口部１２２の内側に入り込み、円筒部２１１から底部２１２にかけて湾曲した部分（湾曲部）２１４がテーパ面１２４に当接して押圧する。
【００１９】
その結果、テーパ面１２４は、弾性的に変形して、テーパ面１２４の円周方向の全周にわたって湾曲部２１４と密着する。すなわち、マイクゴム当接部２１０が開口部１２２の内周面の全周にわたって当接する。集音面１１１が面した空間は、穴２１３を介して前部カバー２００の外部の空間と連通しているが、前部カバー２００の内側であり、かつ、マイクゴム１２０の外部の空間とは、空間的に絶縁された状態となる。
【００２０】
たとえば、カメラ１で音声とともに動画を撮影する場合、被写体の動きに応じて合焦動作が行われるため、レンズ駆動機構１０２が作動して作動音が発生する。また、動画の撮影中に撮影者によって焦点距離の変更を指示された場合にも、レンズ駆動機構１０２が作動して作動音が発生する。レンズ駆動機構１０２の作動音などのように、カメラ１の内部で発生する音は、マイクゴム１２０およびマイクゴム当接部２１０で遮断されるので、マイク１１０の集音面１１１に到達しない。なお、カメラ１の外部の音は、穴２１３を介してマイク１１０の集音面１１１に到達し、マイク１１０によって集音される。これにより、カメラ１の内部で発生する音が録音されるのを防止できるので、録音音声を高音質化できる。
【００２１】
なお、マイクゴム１２０は、軸ＡＸ１を中心軸とする略有底円筒形状を呈しており、マイクゴム当接部２１０は、軸ＡＸ２を中心軸とする略有底円筒形状を呈している。そのため、マイクゴム１２０をマイクゴム取り付け部１３０に対して、軸ＡＸ１を中心とする任意の位相で取り付けても、マイクゴム当接部２１０が開口部１２２の内周面の全周にわたって当接し、その当接状態が変化することはない。これにより、マイクゴム１２０をマイクゴム取り付け部１３０に取り付ける際に、マイクゴム１２０の軸ＡＸ１を中心とする位相を考慮する必要がなくなり、マイクゴム１２０をマイクゴム取り付け部１３０に容易に取り付けることができるので、カメラ１の組み立てコストを抑制できる。
【００２２】
上述したカメラ１では、次の作用効果を奏する。
（１）  マイクゴム当接部２１０が開口部１２２の内周面に当接するように構成した。したがって、前面下部２０２の近傍の曲面形状の影響を受けることなく、マイクゴム当接部２１０とマイクゴム１２０とを当接できるので、レンズ駆動機構１０２の作動音などのように、カメラ１の内部で発生する音を、マイクゴム１２０およびマイクゴム当接部２１０で遮断できる。これにより、カメラ１の内部で発生する音が録音されるのを防止できるので、録音音声を高音質化できる。
【００２３】
（２）  マイクゴム当接部２１０と開口部１２２の内周面とは、開口部１２２の内周面の全周にわたって当接するように構成した。これにより、マイクゴム１２０とマイクゴム当接部２１０との間に隙間ができないので、確実に録音音声を高音質化できる。
【００２４】
（３）  前部カバー２００を本体部１００に取り付けると、マイクゴム当接部２１０の湾曲部２１４がテーパ面１２４に当接して押圧するように構成した。これにより、前部カバー２００を本体部１００に取り付けるだけでマイクゴム１２０とマイクゴム当接部２１０と当接できるので、カメラ１の組み立てを容易化できる。
【００２５】
（４）  マイクゴム１２０の開口部１２２に、前部カバー２００に向かって内径が大きくなるテーパ面１２４を設けるように構成した。したがって、前部カバー２００を本体部１００に向かって前方から取り付けるだけで、マイクゴム当接部２１０が開口部１２２の内周面の全周にわたって当接する。これにより、マイクゴム１２０およびマイクゴム当接部２１０の構造を簡素化できるので、カメラ１の製造コストを低減できる。
【００２６】
−−−変形例−−−
（１）  上述の説明では、マイクゴム１２０の開口側の一端にテーパ面１２４を設けている。すなわち、外形が一定である円筒の端面近傍の内面がテーパ状に成形されているが、本発明はこれに限定されない。たとえば、図５に示すように、マイクゴム１２０の開口側端部に外経の小さい円筒部分（小径円筒部）１２５を延設し、この小径円筒部１２５の開口側端面近傍にテーパ面１２４を設けてもよい。このように、テーパ面１２４近傍のマイクゴム１２０の径方向厚さを薄くすることで、マイクゴム当接部２１０が当接した際に、テーパ面１２４近傍の弾性変形を促進できる。これにより、マイクゴム１２０とマイクゴム当接部２１０との当接部分がより密着するので、カメラ１の内部で発生する音を、当該当接部分で確実に遮断できる。
【００２７】
（２）  上述の説明では、前部カバー２００側に向かって開口部の径が大きくなるように、マイクゴム１２０にテーパ面１２４を設けているが、本発明はこれに限定されない。たとえば、図６に示すように、マイクゴム１２０側に向かって外径が小さくなるようにマイクゴム当接部２１０を成形してもよい。すなわち、軸ＡＸ２を中心軸として、後方に向かって外径が小さくなる円錐状のテーパ円筒部２１５と、テーパ円筒部２１５の後方端に設けられた底部２１２とを有するようにマイクゴム当接部２１０を成形してもよい。これにより、テーパ円筒部２１５の外周面が開口部１２２の内周面の全周にわたって当接するので、上述の場合と同様の作用効果を奏する。なお、テーパ円筒部２１５を設けた場合、図６に示すように、上述したテーパ面１２４をマイクゴム１２０の開口部１２２に設けなくてもよい。
【００２８】
（３）  上述の説明では、マイク１１０はコンデンサマイクであるが、本発明はこれに限らず、ダイナミックマイクなど、他の種類のマイクであってもよい。
【００２９】
（４）  上述の説明では、マイクゴム１２０の材質は、ゴムであるが、外力によって弾性的に変形する弾性素材であればよく、たとえばゲル状の材質でもよく、軟質プラスチックでもよい。また、スポンジ状の材質であってもよい。
【００３０】
（５）  上述の説明では、前部カバー２００は絞り加工などによって金属板を加工した部材であったが、本発明はこれに限定されない。たとえば、金属の削りだしによって前部カバー２００を作製するなど、絞り加工以外の加工方法によって前部カバー２００を作製してもよい。また、前部カバー２００の材質も金属に限らず、樹脂などであってもよい。
【００３１】
（６）  上述の説明では、集音面１１１が前方、すなわちレンズ鏡筒１０１の被写体側と同じ方向を向くようにマイク１１０およびマイクゴム１２０を配設しているが、マイク１１０に指向性がなければ、集音面１１１が上方または側方を向くようにマイク１１０およびマイクゴム１２０を配設してもよい。また、ステレオ録音ができるように、上述したマイク、マイクゴム１２０およびマイクゴム当接部２１０などを左右２箇所に設けるように構成してもよい。
（７）  上述した各実施の形態および変形例は、それぞれ組み合わせてもよい。
【００３２】
なお、本発明は、上述した実施の形態のものに何ら限定されず、電子機器本体と、電子機器本体の前部に取り付けられる前部カバーとを備える電子機器において、略円柱形状の一端に集音面が設けられたマイクと、マイクを保持する部材であって略軸対称である略有底円筒形状の弾性素材から成り、有底円筒の開口面側の内周部分である開口部、および、開口部よりも有底円筒の底部側で集音面を開口面に向けて配設されたマイクを開口面と集音面とが略平行となる状態でマイクの外周面を保持するマイク保持部を有するマイク保持部材と、マイク保持部材を取り付けるために電子機器本体に設けられた部位であって、マイク保持部材で保持されたマイクの集音面が電子機器本体の前方に面し、略円柱形状のマイクの軸線方向が電子機器本体の前後方向と一致するようにマイク保持部材が取り付けられるマイク保持部材取付部と、前部カバーの曲面部分に設けられて、後方に向かって突出する有底円筒状に成形され、底部に貫通穴が設けられた成形部とを備え、成形部は、成形部の有底円筒の軸線とマイク保持部材の有底円筒の軸線方向とが一致し、マイク保持部材の開口部の内周面に全周にわたって当接することを特徴とする各種構造の電子機器を含むものである。
【図面の簡単な説明】
【００３３】
【図１】カメラ１の前部カバーおよび内部構造を示す図である。
【図２】マイク１１０およびマイクゴム１２０の断面図である。
【図３】マイクゴム当接部２１０を含む前面下部２０２の近傍を左側から見たときの断面図である。
【図４】前部カバー２００を本体部１００に取り付けたときの、マイクゴム当接部２１０を含む前面下部２０２の近傍を左側から見たときの断面図である。
【図５】変形例を示す図である。
【図６】変形例を示す図である。
【符号の説明】
【００３４】
１  カメラ                                １００  本体部
１０１  レンズ鏡筒                        １０２  レンズ駆動機構
１１０  マイク                            １１１  集音面
１２０  マイクゴム                        １２２  開口部
１２４  テーパ面                          １２５  小径円筒部
２００  前部カバー                        ２１０  マイクゴム当接部
２１４  湾曲部                            ２１５  テーパ円筒部
【図１】
0004735277.tif 000002
【図２】
0004735277.tif 000003
【図３】
0004735277.tif 000004
【図４】
0004735277.tif 000005
【図５】
0004735277.tif 000006
【図６】
0004735277.tif 000007